(57)【要約】【課題】耐久性が十分で見た目にも綺麗な布団干し袋を提供することにある。【解決手段】布団１を広げて収納することができる大きさの袋体１１に、布団１を袋体に出し入れするための開閉可能な出入口１２を設けた布団干し袋１０において、前記袋体をナイロンタフタ生地から形成し、このナイロンタフタ生地には通気撥水処理を施し、その通気度は、ＪＩＳ１０９６のフラジール形法の測定値が２０〜３０ｃｍ３／ｃｍ２・ｓｅｃであり、耐水度はＪＩＳ１０９２の低水圧法の測定値が５０ｃｍ未満とし、さらに黒色に染色したのである。【選択図】図１
0003113397.tif 000002
【実用新案登録請求の範囲】
【請求項１】
布団を広げて収納することができる大きさの袋体に、布団を袋体に出し入れするための開閉可能な出入口を設けた布団干し袋において、前記袋体をナイロンタフタ生地から形成したことを特徴とする布団干し袋。
【請求項２】
前記ナイロンタフタ生地に通気撥水加工を施した請求項１に記載の布団干し袋。
【請求項３】
前記ナイロンタフタ生地の通気度は、ＪＩＳ１０９６のフラジール形法の測定値が２０〜３０ｃｍ３／ｃｍ２・ｓｅｃであり、耐水度はＪＩＳ１０９２の低水圧法の測定値が５０ｃｍ未満である請求項２に記載の布団干し袋。
【請求項４】
前記ナイロンタフタ生地を黒色に染色した請求項１から３のいずれかに記載の布団干し袋。
【考案の詳細な説明】
【技術分野】
【０００１】
この考案は、布団を干す際に用いる布団干し袋に関する。
【背景技術】
【０００２】
布団を天日干しにし、高温乾燥させることにより、ダニやカビの繁殖を抑制することができるが、その一方で布団がむき出しの状態では花粉やほこりが付着し、特に花粉症やほこりアレルギーの人にとっては症状を悪化させるなど具合が悪かった。
【０００３】
そこで布団を広げて収納することができる大きさの袋体に、布団を袋体に出し入れするための開閉可能な出入口を設けた布団干し袋に布団を収納し、花粉やほこりが付かない状態にして布団干しを行うこと事が知られている。
【０００４】
ところが従来の布団干し袋は、特許文献１に記載のように、生地が不織布からなるため、あまり丈夫でなく耐久性が劣り、そのうえ洗濯に適さない問題があった。また、見た目もツヤがないためベランダ等に干す際に体裁が悪かった。
【特許文献１】登録実用新案第３０８８１９５号公報
【考案の開示】
【考案が解決しようとする課題】
【０００５】
そこでこの考案の解決すべき課題は、耐久性が十分で、洗濯にも適し、見た目にも綺麗な布団干し袋を提供することにある。
【課題を解決するための手段】
【０００６】
上記した課題を解決するためこの考案は、布団を広げて収納することができる大きさの袋体に、布団を袋体に出し入れするための開閉可能な出入口を設けた布団干し袋において、前記袋体をナイロンタフタ生地から形成したのである。
【０００７】
ナイロンタフタ生地は通気撥水加工を施すのが好ましい。また、その通気度は、ＪＩＳ１０９６のフラジール形法の測定値が２０〜３０ｃｍ３／ｃｍ２・ｓｅｃ、好ましくは２２〜２８ｃｍ３／ｃｍ２・ｓｅｃ、より好ましくは２４〜２６ｃｍ３／ｃｍ２・ｓｅｃであり、耐水度はＪＩＳ１０９２の低水圧法の測定値が５０ｃｍ未満、好ましくは４０ｃｍ未満、より好ましくは３０ｃｍ未満であるのがよい。また、黒色に染色するとさらによい。
【考案の効果】
【０００８】
袋体をナイロンタフタ生地から形成すると布団干し袋を丈夫なものとでき、また、光沢があるため見た目にも綺麗である。
【０００９】
ナイロンタフタ生地に通気撥水加工を施すことで、収納した布団の湿気を外部に逃がし乾燥の効率を上げるとともに、にわか雨が降った場合などでも布団をぬらす心配がなく便利である。とくに、通気度をＪＩＳ１０９６のフラジール形法の測定値が２０〜３０ｃｍ３／ｃｍ２・ｓｅｃ、好ましくは２２〜２８ｃｍ３／ｃｍ２・ｓｅｃ、より好ましくは２４〜２６ｃｍ３／ｃｍ２・ｓｅｃとし、耐水度をＪＩＳ１０９２の低水圧法の測定値が５０ｃｍ未満、好ましくは４０ｃｍ未満、より好ましくは３０ｃｍ未満とすると通気撥水ともに十分な性能を得られる。
【００１０】
ナイロンタフタ生地を黒色に染色することにより、太陽光を十分に吸収させ布団干し袋内部の温度を高温に保つことができるため、ダニやカビを効率的に死滅させることができる。
【考案を実施するための最良の形態】
【００１１】
以下、図面を参照しつつこの考案の実施形態について説明する。
【００１２】
図１のようにこの考案にかかる布団干し袋１０は、広げた状態の布団１とほぼ同じ大きさかやや大きい、ナイロンタフタ生地からなる平面視方形の袋体１１の隣り合う三辺が、布団１を袋体の内外に出し入れできるように開口１２となっており、開口１２の周縁にはスライドファスナー１２ａが取り付けられ、開口１２を開閉自在なものとしている。
【００１３】
なお袋体１１は布団１を広げた状態で収納できるものであれば、平面視方形に限られず、平面視円形、平面視楕円形など他の形状で代替することもできる。また、開口１２を自在に開閉できるものであればスライドファスナー１２ａに限られず、面ファスナーやスナップボタン等で代替することもできる。さらに開口１２は袋体１１の辺部に限られず、袋体１１の中央等布団１を出し入れしやすい位置であればどこでもよい。
【００１４】
ナイロンタフタ生地の表面には、アクリル系樹脂などの表面張力が小さい加工剤が塗布されることで通気撥水処理が施されている。また染料により黒色に染色されている。通気撥水処理と染色とは同時に行うと効率がよい。通気撥水処理が施されたナイロンタフタ生地の通気度は、ＪＩＳ１０９６のフラジール形法の測定値が２５ｃｍ３／ｃｍ２・ｓｅｃ前後がもっとも好ましく、耐水度はＪＩＳ１０９２の低水圧法の測定値が３０ｃｍ未満であるのがもっとも好ましい。
【００１５】
このような布団干し袋１０に布団を収納し、物干し竿にかけ、適宜表裏を入れ替えながら太陽光が両面に当たるように干すと、布団１に花粉やほこりが付着するのを防止しつつ布団干しをおこなうことができる。
【００１６】
また、布団干し袋１０の袋体１１はナイロンタフタ生地でできているため、丈夫であり繰り返しの使用に耐える。また洗濯しても生地が傷みにくい。その上ナイロンタフタは光沢があるため、ベランダ等に出す際にも体裁がよい。
【００１７】
ナイロンタフタ生地には、通気撥水処理を施してあるため、収納した布団１の湿気を外部に逃がし布団を十分に乾燥させることができる。また、にわか雨が降った場合などでも布団１をぬらす心配がなく便利である。
【００１８】
また、ナイロンタフタ生地は黒色に染色されているため、太陽光を集光する機能が高く、布団干し袋１０内部に収納された布団１は常時高温状態にさらされる。そのため、布団１に生息するダニやカビを効率的に死滅させることができる。なお本考案者が実験したところによると、布団１を直に天日に干した場合には、布団１の温度はダニの死滅温度である５０℃前後にはなかなか至らないが、布団干し袋１０に布団１を収納した上で天日に干したところ、布団１の温度は最高で６０℃前後にまで上昇し、ダニを効果的に駆除できることがわかった。
【００１９】
なおダニやカビの死骸もアレルゲンとなるため、布団干し袋１０に入れた布団１を干した後は、布団干し袋１０から出して、布団１に掃除機を当てダニやカビの死骸を吸い取り、布団１から除去するのがよい。
【図面の簡単な説明】
【００２０】
【図１】布団干し袋の全体図
【符号の説明】
【００２１】
１  布団
１０  布団干し袋
１１  袋体
１２  開口
１２ａ  ファスナー
【図１】
0003113397.tif 000003